(57)【特許請求の範囲】
【請求項１】
浮体下部に取り付けられ、潮流により回転するダリウス型水車と、前記ダリウス型水車の回転力により発電する発電機とを一体的に構成してなる潮流発電装置を灯浮標に取り付ける取付構造であって、
前記浮体に設けられていて、前記浮体の底部から甲板部まで連通しかつ所定の直径の円筒形状に形成された防水収容部と、
前記防水収容部の底部に設けられ前記潮流発電装置のダリウス型水車よりやや大きな直径でかつ前記防水収容部の直径よりは小さい透孔を穿設してなる取付座と、
前記取付座から前記浮体の甲板側まで延長されたガイド棒と、
前記取付座のガイド棒側に設けた防水パッキンと、
前記防水収容部の直径よりやや小さく形成された円板であって一方の面に前記潮流発電装置が固定され他方の面に吊り金具が設けられかつ前記ガイド棒を嵌入する係合孔が穿設された固定板と、
前記固定板の係合孔にガイド棒を嵌入して前記取付座に固定板を載置し、かつ前記ガイド棒よりやや短いスリーブを前記ガイド棒に装着して前記潮流発電装置を前記取付座に固定する固定機構と
を備えたことを特徴とする灯浮標用潮流発電装置の取付構造。
【請求項２】
前記浮体に設けられた前記防水収容部の甲板側には、蓋が着脱可能に設けられており、かつ、前記蓋の内側には吊りワイヤーの一端が取り付けられており、前記吊りワイヤーの他端は前記固定板の吊り金具に固定されていることを特徴とする請求項１記載の灯浮標用潮流発電装置の取付構造。
【請求項３】
前記浮体の前記防水収容部の外周側の甲板部には、所定の高さの支柱と前記支柱の上側で直角方向に設けられた横桟とからなる櫓が固定あるいは着脱可能に設けられており、かつ、前記櫓の横桟に滑車用の吊下げ座が設けられており、前記吊下げ座に吊下げられた滑車に前記吊りワイヤーを掛けて前記潮流発電装置を釣り上げ、あるいは、吊り下げ可能にしてなることを特徴とする請求項２記載の灯浮標用潮流発電装置の取付構造。
【発明の詳細な説明】
【０００１】
【発明の属する技術分野】
本発明は、潮流発電装置を備えた灯浮標および灯浮標用潮流発電装置の取付構造に関するものである。さらに詳細には、本発明は、浮体下部に取り付けられ、潮流により回転するダリウス型水車と、前記ダリウス型水車の回転力により発電する発電機とを一体的に構成した潮流発電装置を備えた灯浮標に関するものである。さらに、本発明は、メンテナンスを容易にした灯浮標用潮流発電装置の取付構造に関するものである。
【０００２】
【従来の技術】
この種の灯浮標は、船舶が航行する水上に浮かべて錨で定置し、かつ、灯火を所定の周期で点滅させることにより、船舶の航行の安全に資する装置として知られている。このため、この灯浮標には、灯火を点滅させる装置と、灯火等に電力を供給する電源装置とを必要とする。
この灯浮標の電源装置は、その定置されている場所の特殊性から、各種方式のものが採用されている。その各種方式の中でも、近年、灯浮標に採用されいる電源装置としては、例えば二次電池と太陽電池とを組み合わせたもの（第１の従来技術）、二次電池と太陽電池と波力発電装置とを組み合わせたもの（第２の従来技術）、などである。
【０００３】
第１の従来技術の場合には、昼間時に太陽光により太陽電池で発電し、これにより二次電池を充電しておくことができるので、長く使用することができるものの、長時間、太陽光のない気象条件が継続すると、二次電池の充電ができないという状態が発生する。
【０００４】
また、第２の従来技術によれば、太陽光がない場合でも、波があれば波力発電装置で発電できるので、第１の従来技術の不都合を解消できる。
また、従来の灯浮標では、潮流発電装置をメンテナンスする場合、潮流発電装置を海中より引き上げ、灯浮標の内部でメンテナンスをしていた（第３の従来技術）。
【０００５】
【発明が解決しようとする課題】
上述した第１の従来技術の場合によれば、長時間、太陽光のない気象条件が継続すると、二次電池の充電ができないという状態が発生する不都合があった。
一方、第２の従来技術によれば、第１の従来技術の欠点を解消できるものの、波が無い凪の状態になれば波力発電装置が発電できないという不都合がある。
また、第２の従来技術によれば、波力発電装置の構造が複雑で多数の部品が必要となって装置が高価になるほか、一定の時間毎に保守を行う必要があってランニングコストがかかり、しかも、保守を怠ると波力発電装置の能力を発揮することができないという不都合があった。
【０００６】
さらに、第３の従来技術では、海中に取り付けた潮流発電装置を取り外す作業は非常に困難であり、しかも、浮体内で潮流発電装置のメンテナンス作業を行っていると酔ってしまうなどの不都合があった。
本発明は、上述した第１、第２の従来技術の不都合を解消し、気象状態に影響されず確実に発電可能な潮流発電装置を提供することを第１の目的とする。
本発明は、上述した第３の従来技術の欠点を解消し、簡単にメンテナンスを行える灯浮標用潮流発電装置の取付構造を提供することを第２の目的とする。
【０００７】
【課題を解決するための手段】
上記の目的を達成するために、請求項１記載の発明に係る灯浮標用潮流発電装置の取付構造は、浮体下部に取り付けられ、潮流により回転するダリウス型水車と、前記ダリウス型水車の回転力により発電する発電機とを一体的に構成してなる潮流発電装置を灯浮標に取り付ける取付構造であって、前記浮体に設けられていて、前記浮体の底部から甲板部まで連通しかつ所定の直径の円筒形状に形成された防水収容部と、前記防水収容部の底部に設けられ前記潮流発電装置のダリウス型水車よりやや大きな直径でかつ前記防水収容部の直径よりは小さい透孔を穿設してなる取付座と、前記取付座から前記浮体の甲板側まで延長されたガイド棒と、前記取付座のガイド棒側に設けた防水パッキンと、前記防水収容部の直径よりやや小さく形成された円板であって一方の面に前記潮流発電装置が固定され他方の面に吊り金具が設けられかつ前記ガイド棒を嵌入する係合孔が穿設された固定板と、前記固定板の係合孔にガイド棒を嵌入して前記取付座に固定板を載置し、かつ前記ガイド棒よりやや短いスリーブを前記ガイド棒に装着して前記潮流発電装置を前記取付座に固定する固定機構とを備えたことを特徴とするものである。
【０００８】
上記の目的を達成するために、請求項２記載の発明に係る前記請求項１記載の灯浮標用潮流発電装置の取付構造において、前記浮体に設けられた前記防水収容部の甲板側には、蓋が着脱可能に設けられており、かつ、前記蓋の内側には吊りワイヤーの一端が取り付けられており、前記吊りワイヤーの他端は前記固定板の吊り金具に固定されていることを特徴とするものである。
【０００９】
請求項３記載の発明は、前記請求項２記載の灯浮標用潮流発電装置の取付構造において、前記浮体の前記防水収容部の外周側の甲板部には、所定の高さの支柱と前記支柱の上側で直角方向に設けられた横桟とからなる櫓が固定あるいは着脱可能に設けられており、かつ、前記櫓の横桟に滑車用の吊下げ座が設けられており、前記吊下げ座に吊下げられた滑車に前記吊りワイヤーを掛けて前記潮流発電装置を釣り上げ、あるいは、吊り下げ可能にしてなることを特徴とするものである。
【００１０】
【発明の実施の形態】
以下、本発明の実施の形態について図面を参照して説明する。
［第１の実施の形態］
図１は、本発明の第１の実施の形態に係る灯浮標を説明するための図である。
本発明の第１の実施の形態に係る灯浮標２は、図１に示すように、浮体３の下部の取付座４に潮流発電装置１を取り付けて構成されている。
【００１１】
この灯浮標２は、船舶が航行する海（水）５に浮かべて錨６で定置し、かつ、灯火を所定の周期で点滅させることにより、水路や障害物を示して航行の安全を図る装置である。この灯浮標２の浮体３の上にはアルミニウム等の棒材で構成した塔７が設けられており、この塔７の頂上部には灯火装置８が設けられている。この灯火装置８は、灯火源と、この灯火源を点滅させる点滅制御装置と、前記灯火源および点滅制御装置に電力を供給する電源装置の一部とが一体化して構成されている。なお、ここでいう電源装置の一部とは、二次電池、充電制御装置、電力供給制御装置等のことである。
【００１２】
また、上記潮流発電装置１は、潮流により回転するダリウス型水車１１と、前記ダリウス型水車１１の回転力により発電する発電機１２とを一体的に構成したものである。また、この潮流発電装置１は、図１に示すように、前記ダリウス型水車１１がより下方に位置されるように、前記発電機１２の取付部が上記浮体３の下部の取付座４に取り付けられている。
図２ないし図３７は本発明の第１の実施の形態に係る灯浮標に取り付けられた潮流発電装置１を説明するための図である。
【００１３】
（全体構成）
次に、本発明の第１の実施の形態に係る灯浮標に取り付けられた潮流発電装置１の全体構成について、図２および図３を参照して説明する。ここに、図２は、本発明の第１の実施の形態に係る潮流発電装置の全体構成を示す横断面図である。図３は、本発明の第１の実施の形態に係る潮流発電装置を示す正面図である。
【００１４】
これら図２又は図３において、この実施の形態に係る潮流発電装置１の発電機１２は、回転軸１３の一部に固定され磁力を発生するロータヨーク１４と、前記ロータヨーク１４の周辺に設けられたステータ１５と、前記ステータ１５に捲回された発電巻線１６と、前記回転軸１３の一部、前記ロータヨーク１４、前記ステータ１５および前記発電コイル１６を収納し、かつ回転軸１３を回転可能に固定する収納箱１７と、前記収納箱１７の接合部を防水する接合部防水構造１８と、前記回転軸１３の前記収納箱１７からの取出部を防水する回転軸防水構造１９とからなる。
【００１５】
前記ダリウス型水車１１は、前記発電機１２の回転軸１３を所定の長さ延長してなるシャフト１３ａの軸長方向に所定の間隔でかつ前記シャフト１３ａの直角方向に設けられた第１の翼支持盤２０ａおよび第２の支持盤２０ｂと、前記各翼支持盤２０ａ，２０ｂに両端が支持され所定の翼長でかつ所定の形状の水車翼２１，２１，２１とから構成されている。なお、前記第１の翼支持盤２０ａおよび第２の支持盤２０ｂは、図３に示すように、略Ｙ字状の形状をしている。また、第１の翼支持盤２０ａおよび第２の支持盤２０ｂは、図２に示すように、シャフト１３ａに所定の間隔で固定されている。これら第１の翼支持盤２０ａと第２の支持盤２０ｂの間には、翼のねじれのない直線形状の３枚の水車翼２１，２１，２１が固定されている。
【００１６】
さらに詳細に前記発電機１２の構造について説明する。前記発電機１２の収納箱１７は、図１および図２に示すように、中空円筒形状のケーシング２２の一方の開口部に円板状の上ケーシングカバー２３をボルト２４，２４，・・・で固定し、かつ、前記ケーシング２２の他方の開口に円板状の下ケーシングカバー２５をボルト２６，２６，・・・で固定して構成されている。
円板状の上ケーシングカバー２３の円板中心部の内側には、所定の大きさの円筒状凹部２７が設けられている。この円筒状凹部２７の内部にはボールベアリング２８が設けられており、このボールベアリング２８によって回転軸１３の一端が上ケーシングカバー２３に回転可能に固定されている。
【００１７】
円板状の下ケーシングカバー２５の円板中心部には、所定の直径の透孔２９が設けられている。この透孔２９の内側にはボールベアリング３１が設けられており、このボールベアリング３１により前記透孔２９を貫通する回転軸１３が下ケーシングカバー２５に回転可能に固定されている。
前記上ケーシングカバー２３の内側にはケーシング２２の内周面に当接する突起部３２が円形状に形成されており、前記突起部３２と前記ケーシング２２の内周面側とにより接合部を構成している。前記突起部３２の前記ケーシング２２の内周面に当接する面に凹溝３３を設け、前記凹溝３３にＯリング３４を配置し、上ケーシングカバー２３をケーシング２２の一方の端部に固定することにより、接合部防水構造１８の一方を構成している。
【００１８】
前記下ケーシングカバー２５の内側にはケーシング２２の内周面に当接する突起部３５が円形状に形成されていおり、前記突起部３５と前記ケーシング２２の内周面側とにより接合部を構成している。前記突起部３５の前記ケーシング２２の内周面に当接する面に凹溝３６を設け、前記凹溝３６にＯリング３７を配置し、下ケーシングカバー２５をケーシング２２の他方の端部に固定することにより、接合部防水構造１８の他方を構成している。
また、前記下ケーシングカバー２５の外側端部には、シールカバー３８がボルト３９で固定されている。このシールカバー３８には回転軸１３が貫通し嵌合しており、この回転軸１３の貫通部にラビリンス４０を設けることにより前記回転軸の前記収納箱１７からの取出部の防水構造を構成している。なお、回転軸１３のシールカバー３８の内側の回転軸１３には、外側から内側に向かってオイルシール４１、カラー４２が設けられている。
【００１９】
前記回転軸１３のケーシング２２の位置には、ロータヨーク１４が固定されている。前記ロータヨーク１４の外周には、所定の間隔でマグネット１０が固定されている。また、前記ケーシング２２の内周面には、ステータ１５が固定されている。このステータ１５には発電巻線１６が捲回されている。
また、前記ケーシング２２の外周の一部には取付座固定面４３が形成されており、この取付座固定面４３にはパッキン４４を介在させてコード取付座４５がボルト４６，４６、・・・で固定されている。このコード取付座４５の開口面側には凹溝４７が設けられており、この凹溝４７の内部にはＯリング４８が配置されている。また、このコード取付座４５には、コード取付蓋４９がボルト５０で固定されるようになっており、前記Ｏリング４８により防水構造になっている。
【００２０】
コード取付蓋４９の中央部には中空円柱棒状部５１が設けられている。この中空円柱棒状部５１の内部には、Ｏリング５２、グランド押５３で囲まれた電線５４が貫通している。また、中空円柱棒状部５１の外周に設けたネジには、電線５４の貫通孔を有するロックナット５８が螺合している。
次に、ダリウス型水車１１について詳細に説明する。まず、第１の翼支持盤２０ａは、カラー５６、座金５７、ロックナット５８により、回転軸１３の太径部に押圧されることによりシャフト１３ａに固定されている。
【００２１】
また、第２の支持盤２０ｂは、カラー６４を介装させてボルト５９，５９，・・・によりシャフト１３ａの端面に固定されるとともに、カラー６３に螺合するボルト６２、６２、・・・にてシャフト１３ａに固定されている。各水車翼２１，２１，２１，は、その一端を第１の翼支持盤２０ａにボルト６０，６０，・・・で固定されており、その他端を第２の支持盤２０ｂにボルト６１，６１，・・・で固定されている。
なお、上ケーシングカバー２３は、取付座４に固定するための取付代２３ａを設けており、この取付代２３ａには取付ボルトを挿通する挿通孔２３ｂ，２３ｂ，・・・が設けられている。
また、符号３０ａはロータ押えリング、符号３０ｂはカラー、符号３０ｃは座金、符号３０ｄはロックナットであり、これらによりロータヨーク１４を回転軸１３に固定している。
【００２２】
（各部品の説明）
図４は、本発明の第１の実施の形態に係る潮流発電装置のダリウス型水車に使用する第１の翼支持盤の詳細を示す平面図である。前記第１の翼支持盤２０ａは、図４に示すように、中央固定部６５にシャフト１３ａを貫通するシャフト孔６６を設け、かつ中央固定部６５から腕６７，６７，６７を１２０度の間隔で配置して略Ｙ字状の形状にしている。また、腕６７の先端には水車翼２１の断面形状に合わせた形状の翼取付部６８を設けており、かつ、翼取付部６８には水車翼２１を固定するためのボルト６０用の挿通孔６９が設けられている。
【００２３】
図５は、本発明の第１の実施の形態に係る潮流発電装置のダリウス型水車に使用する第１の翼支持盤を固定するために使用するカラーを示す断面図である。
このカラー５６は、図５に示すように、シャフト１３ａを通す挿入孔５６ａが設けられている。
図６は、本発明の第１の実施の形態に係る潮流発電装置のダリウス型水車に使用する第１の翼支持盤を固定するために使用する座金を示す平面図である。
座金５７は、図６に示すように、外周側に凹凸５７ａを設け、かつ、シャフト１３ａを通す挿入孔５７ｂが設けられている。
【００２４】
図７は本発明の第１の実施の形態に係る潮流発電装置のダリウス型水車に使用する第２の支持盤の詳細を示す平面図である。この第２の支持盤２０ｂは、図７に示すように、中央固定部７５にシャフト１３ａを固定するボルト５９用のボルト挿通孔７６，７６，・・・を設け、かつ中央固定部７５から腕７７，７７，７７を１２０度の間隔で配置して略Ｙ字状の形状にしている。また、腕７７の先端には水車翼２１の断面形状に合わせた形状の翼取付部７８を設けており、かつ、翼取付部７８には水車翼２１を固定するためのボルト６１用の挿通孔７９が設けられている。また、カラー６３に螺合するボルト６２用の挿通孔８０が設けられている。
【００２５】
図８は、本発明の第１の実施の形態に係る潮流発電装置のダリウス型水車に使用する第２の支持盤を固定するために使用するカラーを示す平面図である。図９は、本発明の第１の実施の形態に係る潮流発電装置のダリウス型水車に使用する第２の支持盤を固定するために使用するカラーを示す断面図である。
このカラー６３は、図９に示すように、所定の厚さを有したものである。このカラー６３は、図８および図９に示すように、シャフト１３ａを通す挿入孔６３ａを穿設するとともに、ボルト５９の螺合するネジ孔６３ｂを設けている。
【００２６】
図１０は、本発明の第１の実施の形態に係る潮流発電装置のダリウス型水車に使用する第２の支持盤を固定するために使用する他のカラーを示す平面図である。図１１は、本発明の第１の実施の形態に係る潮流発電装置のダリウス型水車に使用する第２の支持盤を固定するために使用する他のカラーを示す側面図である。
このカラー６４は、図１１に示すように、所定の厚みを有するものである。このカラー６４は、シャフト１３ａに固定するボルト５９を挿入する挿入孔６４ａと、カラー６３に螺合するボルト６２を挿入する挿入孔６４ｂを、それぞれ穿設してある。
【００２７】
図１２は、本発明の第１の実施の形態に係る潮流発電装置の発電機に使用するケーシングを示す正面図である。図１３は、本発明の第１の実施の形態に係る潮流発電装置の発電機に使用するケーシングの一方の端部を示す側面図である。図１４は、本発明の第１の実施の形態に係る潮流発電装置の発電機に使用するケーシングの他方の端部を示す側面図である。図１５は、本発明の第１の実施の形態に係る潮流発電装置の発電機に使用するケーシングの外周の一部を示す平面図である。
【００２８】
前記ケーシング２２は、図１２、図１３および図１４に示すように、金属製の中空円筒形状をしている。このケーシング２２の外周の一端には、図１５に示すように、取付座固定面４３が設けられている。この取付座固定面４３の中央部には、図１２および図１５に示すように、貫通孔８１が設けられている。また、前記貫通孔８１の周囲には、図１５に示すように、ボルト４６を螺合するネジ孔８２，８２，・・・が設けられている。また、ケーシング２２の一端部には、図１３に示すように、ボルト２４を螺合するネジ孔８３，８３，・・・が設けられている。また、ケーシング２２の他端部には、図１４に示すように、ボルト２６を螺合するネジ孔８４，８４，・・・が設けられている。
【００２９】
図１６は、本発明の第１の実施の形態に係る潮流発電装置の発電機に使用する上ケーシングカバーの内側面を示す正面図である。図１７は、本発明の第１の実施の形態に係る潮流発電装置の発電機に使用する上ケーシングカバーを示す断面図である。
【００３０】
上ケーシングカバー２３は、図１６に示すように、円板状の形状をしている。この上ケーシングカバー２３の円板中心部の内側には、図１７に示すように、ボールベアリング２８を固定するための所定の大きさの円筒状凹部２７が設けられている。この上ケーシングカバー２３の一方の面には、図１６および図１７に示すように、ケーシング２２の内周面に当接するための突起部３２が円環状に形成されており、前記突起部３２の前記ケーシング２２の内周面に当接する面に凹溝３３を設け、前記凹溝３３にＯリング３４を配置できるようにしてある。また、上ケーシングカバー２３には、図１６および図１７に示すように、ケーシング２２に固定するためのボルト２４を挿通するための挿通孔８６が設けられている。
【００３１】
図１８は、本発明の第１の実施の形態に係る潮流発電装置の発電機に使用する下ケーシングカバーの内側面を示す正面図である。図１９は、本発明の第１の実施の形態に係る潮流発電装置の発電機に使用する下ケーシングカバーを示す断面図である。
下ケーシングカバー２５は、図１８に示すように、円板状の形状をしている。この円板状の下ケーシングカバー２５の円板中心部には、図１８および図１９に示すように、所定の直径の透孔２９が設けられている。この透孔２９の一方の面側には、図１９に示すように、ボールベアリング３１を設置するための設置穴２９ａが設けられている。また、下ケーシングカバー２５の他方の面側には、図１９に示すように、オイルシール４１やカラー４２を収納する収納穴２９ｂが設けられている。
【００３２】
前記下ケーシングカバー２５の内側には、図１９に示すように、ケーシング２２の内周面に当接する突起部３５が円環状に形成されており、前記突起部３５の前記ケーシング２２の内周面に当接する面に凹溝３６を設け、前記凹溝３６にＯリング３７を配置できるようにしてある。
また、下ケーシングカバー２５には、図１８および図１９に示すように、ボルト２６を挿入する挿入孔２５ａ，２５ａ，・・・が穿設されている。また、下ケーシングカバー２５には、図１８および図１９に示すように、シールカバー３８を固定するためボルト３９を螺合するネジ穴２５ｂ，２５ｂ，・・・が設けられている。
図２０は、本発明の第１の実施の形態に係る潮流発電装置の発電機およびダリウス型水車に使用する回転軸およびシャフトを示す側面図である。図２１は、本発明の第１の実施の形態に係る潮流発電装置の発電機およびダリウス型水車に使用する回転軸およびシャフトを示す正面図である。
【００３３】
回転軸１３とシャフト１３ａとは、図２０および図２１に示すように、一体的に構成されている。シャフト１３ａの端面には、図２１に示すように、第２の支持盤２０ｂを固定するためのボルト５９を螺合するネジ穴１３ｂが設けられている。また、回転軸１３は、ボールベアリング２８に挿入する部分１３ｃと、ロックナット３０ｄを螺合する部分１３ｄと、ロータ押えリング３０ａおよびロータヨーク１４を配置する部分１３ｅと、大径部１３ｆと、ボールベアリング３１に挿入される部分１３ｇと、シールカバー３８やカラー４２に挿入される部分１３ｈとからなる。また、シャフト１３ａには、第１の翼支持盤２０ａが配置される部分１３ｉと、ロックナット５８が螺合される部分１３ｊとが設けられている。
【００３４】
図２２は、本発明の第１の実施の形態に係る潮流発電装置の発電機に使用するロータヨークを示す正面図である。図２３は、本発明の第１の実施の形態に係る潮流発電装置の発電機に使用するロータヨークを示す一部断面図である。
ロータヨーク１４は、図２２および図２３に示すように、中心に大きな透孔１４ａを有するドーナツ形状をしている。このロータヨーク１４は、その両端から二つのロータ押えリング３０ａ，３０ａにより挟まれることにより回転軸１３に固定されるようになっている。なお、このロータヨーク１４の両側面には、図２２および図２３に示すように、ロータ押えリング３０ａ，３０ａを固定するための、ボルト用のネジ穴１４ｂ，１４ｂ，・・・が設けられている。
【００３５】
図２４は、本発明の第１の実施の形態に係る潮流発電装置の発電機に使用するロータ押えリングを示す正面図である。図２５は、本発明の第１の実施の形態に係る潮流発電装置の発電機に使用するロータ押えリングを示す一部断面図である。
このロータ押えリング３０ａは、図２４および図２５に示すように、回転軸１３を挿入する挿入孔３０ａ１が設けられている。また、ロータ押えリング３０ａは、図２４および図２５に示すように、ロータヨーク１４の透孔１４ａに嵌合される凸台３０ａ２が設けられている。また、ロータ押えリング３０ａには、図２４および図２５に示すように、ロータヨーク１４のネジ穴１４ｂに螺合するボルトの挿通孔３０ａ３，３０ａ３，・・・が設けられている。
【００３６】
図２６は、本発明の第１の実施の形態に係る潮流発電装置の発電機に使用するロータ押えリングの押え用のカラーを示す断面図である。このカラー３０ｂは、図２６に示すように、回転軸１３を挿入するための挿入孔３０ｂ１が設けられている。
図２７は、本発明の第１の実施の形態に係る潮流発電装置の発電機に使用するロータ押えリングの押え用の座金を示す正面図である。この座金３０ｃは、図２７に示すように、外周側に凹凸３０ｃ１を設け、かつ、回転軸１３を通す挿入孔３０ｃ２が設けられている。
【００３７】
図２８は、本発明の第１の実施の形態に係る潮流発電装置の発電機に使用するステータを示す正面図である。このステータ１５は、図２８に示すように、多数の歯１５ａ，１５ａ，１５ａ，・・・を設けたものである。
図２９は、本発明の第１の実施の形態に係る潮流発電装置の発電機に使用するカラーを示す断面図である。このカラー４２は、図２９に示すように、回転軸１３を挿入する挿入孔４２ａが設けられている。
【００３８】
図３０は、本発明の第１の実施の形態に係る潮流発電装置の発電機に使用するシールカバーを示す正面図である。図３１は、本発明の第１の実施の形態に係る潮流発電装置の発電機に使用するシールカバーを示す断面図である。
このシールカバー３８は、図３０に示すように、円板状の形状をしている。この円板状のシールカバー３８は、図３０および図３１に示すように、大径部３８ａと小径部３８ｂとが設けられている。また、シールカバー３８の小径部３８ｂには、図３０および図３１に示すように、回転軸１３が貫通し嵌合する貫通孔３８ｃが設けられており、この回転軸１３の貫通孔３８ｃにラビリンス４０を設けている。このラビリンス４０により、前記回転軸１３の前記収納箱１７からの取出部の防水構造となる。
また、シールカバー３８には、図３０および図３１に示すように、下ケーシングカバー２５に固定するボルト３９を挿通する挿通孔３８ｄ，３８ｄ，・・・が穿設されている。
【００３９】
図３２は、本発明の第１の実施の形態に係る潮流発電装置の発電機に使用するコード取付座を示す平面図である。図３３は、本発明の第１の実施の形態に係る潮流発電装置の発電機に使用するコード取付座を示す断面図である。
このコード取付座４５は、図３３に示すように略逆Ω形状をしており、鍔部４５ａ、底部４５ｂ、防水収容部４５ｃが設けられている。この鍔部４５ａには、図３２および図３３に示すように、凹溝４５ｄが設けられており、かつ、その凹溝４５ｄの外側にはボルト５０を螺合するネジ孔４５ｅが設けられている。また、底部４５ｂには、図３２および図３３に示すように、取出線を取り出す貫通孔４５ｆが穿設されており、その外側にはＯリングを配置する凹溝４５ｇが設けられており、かつ、コード取付座４５をケーシング２２に固定するボルト４６を挿通する挿通孔４５ｈが穿設されている。
【００４０】
図３４は、本発明の第１の実施の形態に係る潮流発電装置の発電機に使用するコード取付蓋を示す平面図である。図３５は、本発明の第１の実施の形態に係る潮流発電装置の発電機に使用するコード取付蓋を示す断面図である
このコード取付蓋４９は、図３５に示すように、円板状基体４９ａの中央部に直角に中空円柱棒状部５１が設けられており、略Ｔ字状の形状をしている。この中空円柱棒状部５１の内部は、Ｏリング５２、グランド押５３で囲まれた電線５４が貫通できる貫通孔４９ｂが設けられている。また、中空円柱棒状部５１の外周にはネジ４９ｃが設けられており、このネジ４９ｃにロックナット５８が螺合できるようになっている。また、コード取付蓋４９の円板状基体４９ａの周縁側には、コード取付座４５に固定するためのボルト５０を挿通するための挿通孔４９ｄが穿設されている。
【００４１】
図３６は、本発明の第１の実施の形態に係る潮流発電装置の発電機に使用するロックナットを示す平面図である。図３７は、本発明の第１の実施の形態に係る潮流発電装置の発電機に使用するロックナットを示す断面図である
このロックナット５８は、図３６および図３７に示すように、電線５３を貫通する貫通孔５５ａを穿設している。また、ロックナット５８の内部には、図３７に示すように、ネジ５５ｂが設けられている。
【００４２】
上述したような各種部品を使用し、かつ、これら部品および図示しないパッキン等の部品を所定の組み立て順序で組み立てることにより、図１ないし図３に示す潮流発電装置１が構成されることになる。
【００４３】
このような第１の実施の形態によれば、次のような利点がある。
（１）潮流は定常的に流れているため、気象条件に左右されずに発電をすることができる。
（２）ダリウス型水車１１と発電機１２とが一体的に構成されていて、かつ、水中に没した状態で発電可能になっているので、構成が簡単でかつ保守の必要のないランニングコストの安い発電装置をえることができる。
（３）少ない潮流でも確実に発電が可能である。
【００４４】
［第２の実施の形態］
図３８ないし図４３は本発明の第２の実施の形態に係る灯浮標を説明するための図である。
図３８は、本発明の第２の実施の形態に係る灯浮標に取り付けられた潮流発電装置を示す断面図である。図３９は、本発明の第２の実施の形態に係る灯浮標に取り付けられた潮流発電装置を示す正面図である。
【００４５】
この第２の実施の形態に係る潮流発電装置１Ａは、第１の実施の形態の水車の形状とは異なる形状のダリウス型水車１１Ａと、第１の実施の形態と同じ形状の発電機１２とから構成されている。したがって、第２の実施の形態に係る潮流発電装置１Ａの発電機１２において、第１の実施の形態と同一構成要素には同一の符号を付して説明を省略する。また、第２の実施の形態に係る潮流発電装置１Ａのダリウス型水車１１Ａにおいて、第１の実施の形態と同一構成要素には同一の符号を付して説明を省略する。
【００４６】
この第２の実施の形態に係る潮流発電装置１Ａのダリウス型水車１１Ａは、発電機１２の回転軸１３を所定の長さ延長してなるシャフト１３ａの軸長方向に所定の間隔でかつ前記シャフト１３ａの直角方向に設けられた第１の翼支持盤２０ａＡおよび第２の支持盤２０ｂＡと、前記各翼支持盤２０ａＡ，２０ｂＡに両端が支持され所定の翼長でかつ所定の形状の水車翼２１Ａ，２１Ａ，２１Ａ，２１Ａとから構成されている。なお、前記第１の翼支持盤２０ａＡおよび第２の支持盤２０ｂＡは、図３８に示すように、９０度間隔に設けられた腕６７Ａおよび腕７７Ａによって十字状の形状をしている。また、第１の翼支持盤２０ａＡおよび第２の支持盤２０ｂＡは、図３９に示すように、シャフト１３ａに所定の間隔で固定されている。これら第１の翼支持盤２０ａＡと第２の支持盤２０ｂＡの間には、翼のねじれのない直線形状の４枚の水車翼２１Ａ，２１Ａ，２１Ａ，２１Ａが固定されている。
【００４７】
図４０は本発明の第２の実施の形態に係る灯浮標に取り付けられた潮流発電装置のダリウス型水車の角度に対する起動トルクを示す特性図であり、横軸に角度［ｄｅｇ］を、縦軸にトルク［Ｎｍ］を、それぞれ示したものである。
この灯浮標２に取り付けられた潮流発電装置１において、ダリウス型水車１１Ａの水車翼２１Ａを直線翼４枚で構成した場合の特定であって、角度が６０度、１５０度、２５０度、３３０度の付近で、潮流の各流速でそれぞれ大きな起動トルクが発生する特性を有している。
【００４８】
図４１は、本発明の第２の実施の形態に係る灯浮標に取り付けられた潮流発電装置のダリウス型水車の回転数に対するトルクを示す特性図であり、横軸に回転数［ｒｐｍ］を、縦軸にトルク［Ｎｍ］を、それぞれ示したものである。
潮流の各流速（０．６［ｍ／ｓ］，・・・，１．４［ｍ／ｓ］）における回転数とトルクの関係は、図４１に示すように、流速０．６［ｍ／ｓ］では３０〜４５［ｒｐｍ］で２〜０．３［Ｎｍ］程度、流速０．８［ｍ／ｓ］では４５〜６５［ｒｐｍ］で４〜０．３［Ｎｍ］程度、流速１．０［ｍ／ｓ］では６０〜８５［ｒｐｍ］で６〜０．３［Ｎｍ］程度、流速１．２［ｍ／ｓ］では９０〜９５［ｒｐｍ］で２．８〜０［Ｎｍ］程度、流速１．４［ｍ／ｓ］では１００〜１１５［ｒｐｍ］で６．５〜０［Ｎｍ］程度となる。
【００４９】
図４２は、本発明の第２の実施の形態に係る灯浮標に取り付けられた潮流発電装置のダリウス型水車の回転数に対する出力を示す特性図であり、横軸に回転数［ｒｐｍ］を、縦軸に出力［Ｗ］を、それぞれ示したものである。
潮流の各流速（０．６［ｍ／ｓ］，・・・，１．４［ｍ／ｓ］）における回転数［ｒｐｍ］に対する出力［Ｗ］の関係は、図４２に示すように、流速０．６［ｍ／ｓ］では３０〜５０［ｒｐｍ］で５〜０．３［Ｗ］程度、流速０．８［ｍ／ｓ］では４５〜６５［ｒｐｍ］で１８〜０．３［Ｗ］程度、流速１．０［ｍ／ｓ］では６０〜８５［ｒｐｍ］で３５〜０．３［Ｗ］程度、流速１．２［ｍ／ｓ］では９０〜９５［ｒｐｍ］で２８〜０［Ｗ］程度、流速１．４［ｍ／ｓ］では１００〜１１５［ｒｐｍ］で６５〜０［Ｗ］程度となる。
【００５０】
図４３は、本発明の第２の実施の形態に係る灯浮標に取り付けられた潮流発電装置のダリウス型水車の周速比に対する効率を示す特性図であり、横軸に周速比を、縦軸に効率［％］を、それぞれ示したものである。
潮流の各流速（０．６［ｍ／ｓ］，・・・，１．４［ｍ／ｓ］）における周速比に対する効率［％］の関係は、図４３に示すように、流速０．６［ｍ／ｓ］〜流速１．４［ｍ／ｓ］では周速比１．８〜２．６で２５〜０［％］程度となる。
上述したよう灯浮標２に取り付けられた潮流発電装置１は、ダリウス型水車１１Ａが潮流の流速が遅い場合でも確実に発電されることになる。
このような第２の実施の形態によっても、第１の実施の形態と同様な利点がある。
また、第２の実施の形態によれば、速度の遅い潮流でも発電できる。
【００５１】
［第３の実施の形態］
図４４ないし図５１は本発明の第３の実施の形態を説明するための図である。
図４４は、本発明の第３の実施の形態に係る灯浮標に取り付けられた潮流発電装置を示す断面図である。図４５は、本発明の第３の実施の形態に係る灯浮標に取り付けられた潮流発電装置を示す正面図である。図４６は、本発明の第３の実施の形態に係る灯浮標に取り付けられた潮流発電装置に使用するダリウス型水車を示す側面図である。図４７は、本発明の第３の実施の形態に係る灯浮標に取り付けられた潮流発電装置に使用するダリウス型水車を示す平面図である。
【００５２】
この第３の実施の形態に係る灯浮標２の潮流発電装置１Ｂは、第１の実施の形態の水車の形状とは異なる形状のダリウス型水車１１Ｂと、第１の実施の形態と同じ形状の発電機１２とから構成されている。したがって、第３の実施の形態に係る潮流発電装置１Ｂの発電機１２において、第１の実施の形態と同一構成要素には同一の符号を付して説明を省略する。また、第３の実施の形態に係る潮流発電装置１Ｂのダリウス型水車１１Ｂにおいて、第１の実施の形態と同一構成要素には同一の符号を付して説明を省略する。
【００５３】
この第３の実施の形態に係る灯浮標２において、前記潮流発電装置１Ｂのダリウス型水車１１Ｂは、発電機１２の回転軸１３を所定の長さ延長してなるシャフト１３ａの軸長方向に所定の間隔でかつ前記シャフト１３ａの直角方向に設けられた第１の翼支持盤２０ａＢおよび第２の支持盤２０ｂＢと、前記各翼支持盤２０ａＢ，２０ｂＢに両端が支持され所定の翼長でかつ所定の形状の３枚の水車翼２１Ｂ，２１Ｂ，２１Ｂとから構成されている。なお、前記第１の翼支持盤２０ａＢおよび第２の支持盤２０ｂＢは、図４５および図４６に示すように、１２０度の間隔を持たせた腕６７Ｂおよび腕７７Ｂにより略Ｙ字状の形状をしている。また、第１の翼支持盤２０ａＢおよび第２の支持盤２０ｂＢは、図４４に示すように、シャフト１３ａに所定の間隔で固定されている。これら第１の翼支持盤２０ａＢと第２の支持盤２０ｂＢの間には、図４６および図４７に示すように、翼形状が所定の形状にねじれている曲線形状の３枚の水車翼２１Ｂ，２１Ｂ，２１Ｂが固定されている。
【００５４】
図４８は本発明の第３の実施の形態に係る灯浮標に取り付けられた潮流発電装置のダリウス型水車の角度に対する起動トルクを示す特性図であり、横軸に角度［ｄｅｇ］を、縦軸にトルク［Ｎｍ］を、それぞれ示したものである。
この灯浮標２に取り付けられた潮流発電装置１において、ダリウス型水車１１Ｂの水車翼２１Ｂをスパイラル翼で構成した場合、角度が６０度、１８０度、３００度の付近で、潮流の流速の大きいものほど大きな起動トルクが発生する特性を有している。
【００５５】
図４９は、本発明の第３の実施の形態に係る灯浮標に取り付けられた潮流発電装置のダリウス型水車の回転数に対するトルクを示す特性図であり、横軸に回転数［ｒｐｍ］を、縦軸にトルク［Ｎｍ］を、それぞれ示したものである。
潮流の各流速（０．６［ｍ／ｓ］，・・・，１．４［ｍ／ｓ］）における回転数とトルクの関係は、図４９に示すように、流速０．６［ｍ／ｓ］では３０〜６５［ｒｐｍ］で０．４〜０．０１［Ｎｍ］程度、流速０．８［ｍ／ｓ］では４０〜９０［ｒｐｍ］で０．６〜０．０１［Ｎｍ］程度、流速１．０［ｍ／ｓ］では５０〜１２０［ｒｐｍ］で１〜０．０１［Ｎｍ］程度、流速１．２［ｍ／ｓ］では７０〜１５０［ｒｐｍ］で１．５〜０．０１［Ｎｍ］程度、流速１．４［ｍ／ｓ］では１００〜１８０［ｒｐｍ］で２〜０．０１［Ｎｍ］程度となる。
【００５６】
図５０は、本発明の第３の実施の形態に係る灯浮標に取り付けられた潮流発電装置のダリウス型水車の回転数に対する出力を示す特性図であり、横軸に回転数［ｒｐｍ］を、縦軸に出力［Ｗ］を、それぞれ示したものである。
潮流の各流速（０．６［ｍ／ｓ］，・・・，１．４［ｍ／ｓ］）における回転数［ｒｐｍ］に対する出力［Ｗ］の関係は、図５０に示すように、流速０．６［ｍ／ｓ］では３０〜７０［ｒｐｍ］で１〜０．０１［Ｗ］程度、流速０．８［ｍ／ｓ］では４０〜９５［ｒｐｍ］で４〜０．０１［Ｗ］程度、流速１．０［ｍ／ｓ］では５５〜１２０［ｒｐｍ］で７．５〜０．０１［Ｗ］程度、流速１．２［ｍ／ｓ］では６０〜１５０［ｒｐｍ］で１４〜０．０１［Ｗ］程度、流速１．４［ｍ／ｓ］では１００〜１８０［ｒｐｍ］で２２〜０．０１［Ｗ］程度となる。
【００５７】
図５１は、本発明の第３の実施の形態に係る灯浮標に取り付けられた潮流発電装置のダリウス型水車の周速比に対する効率を示す特性図であり、横軸に周速比を、縦軸に効率［％］を、それぞれ示したものである。
潮流の各流速（０．６［ｍ／ｓ］，・・・，１．４［ｍ／ｓ］）における周速比に対する効率［％］の関係は、図４１に示すように、流速０．６［ｍ／ｓ］〜流速１．４［ｍ／ｓ］では周速比０．８〜２．０で０．１８〜０．０２［％］程度となる。
【００５８】
図５２は、本発明の第３の実施の形態に係る灯浮標によって発電される発電電力と潮流の関係を示す特性図であり、横軸には潮流の流速［ｍ／ｓ］を、縦軸には発電電力［ｗ］と発電装置効率［％］とがそれぞれとられている。なお、図５２では、三角印が発電装置効率を示し、黒丸印が発電電力を示す。
この図５２からも分かるように、この潮流発電装置１Ｂでは、潮流の流速が１．７〜１．８［ｍ／ｓ］のときが最も効率がよい。発電量は、潮流の流速が早ければ早いほど大きくなる。
このような第３の実施の形態によっても、第１の実施の形態と同様な利点がある。
【００５９】
このような第３の実施の形態によれば、第２の実施の形態によりもさらに、小さな潮流で発電させることができる。
なお、上記第３の実施の形態では、所定の形状にねじれた３枚の水車翼２１Ｂ，２１Ｂ，２１Ｂで構成したが、所定の形状にねじれた４枚の水車翼で構成してもよい。
【００６０】
［第４の実施の形態］
次に、メンテナンスを容易にできる灯浮標用潮流発電装置の取付構造について図５３以下の図面を参照しながら詳細に説明する。
図５３ないし図５９は本発明の第４の実施の形態であってメンテナンスを容易にできるようにした灯浮標用潮流発電装置の取付構造を説明するための図である。ここに、図５３は、本発明の第４の実施の形態に係る灯浮標用潮流発電装置の取付構造を備えた灯浮標を示す正面図である。図５４は、本発明の第４の実施の形態に係る灯浮標用潮流発電装置の取付構造であって前記潮流発電装置を固定した状態を示す断面図である。
【００６１】
図５５は、本発明の第４の実施の形態に係る灯浮標用潮流発電装置の取付構造であって前記潮流発電装置を引き上げた状態を示す断面図である。図５６は、本発明の第４の実施の形態に係る灯浮標用潮流発電装置の取付構造であって、取付座の一部を拡大して示す図である。図５７は、本発明の第４の実施の形態に係る灯浮標用潮流発電装置の取付構造であって、当該取付構造で使用する蓋の一部を拡大して示す図である。
【００６２】
図５８は、本発明の第４の実施の形態に係る灯浮標用潮流発電装置の取付構造であって、当該取付構造で使用する櫓座を拡大して示す図である。図５９は、本発明の第４の実施の形態に係る灯浮標用潮流発電装置の取付構造であって、当該取付構造で使用する固定機構を構成する固定リングの一部を拡大して示す図である。
【００６３】
これらの図において、本発明の第４の実施の形態に係る灯浮標用潮流発電装置の取付構造が適用された灯浮標２ａは、図５３に示すように構成されている。すなわち、浮体３ａの上には塔７ａが立設されており、この塔７ａの頂部に灯火装置８ａが設けられている。また、前記浮体３ａは錨６で定置されている。なお、符号５は喫水面である。
【００６４】
また、本発明の第４の実施の形態に係る灯浮標用潮流発電装置の取付構造は、図５３に示すように、前記浮体３ａに一体的に構成された防水収容部９０，９０の下部に設けた取付座４ａ，４ａに潮流発電装置１Ｃ，１Ｃを着脱可能に構成されたものである。これら二つの潮流発電装置１Ｃ，１Ｃを固定するための灯浮標用潮流発電装置の取付構造は全く同一であるので、一方のみを説明し、他方の灯浮標用潮流発電装置の取付構造の説明を省略する。
また、前記灯浮標用潮流発電装置の取付構造によって浮体３ａに固定される潮流発電装置１Ｃは、潮流により回転するダリウス型水車１１ｃと、前記ダリウス型水車の回転力により発電する発電機１２ｃとを一体的に構成してなる。
【００６５】
すなわち、この灯浮標用潮流発電装置の取付構造は、前記浮体３ａに一体的に設けられていて、前記浮体３ａの底部から甲板３００の面まで連通しかつ所定の直径の円筒形状に形成された防水収容部９０と、前記防水収容部９０の底部に設けられ前記潮流発電装置１Ｃのダリウス型水車１１ｃよりやや大きな直径でかつ前記防水収容部９０の直径よりは小さい透孔４００を穿設してなる取付座４ａと、前記取付座４ａから前記浮体３ａの甲板３００側まで延長されたガイド棒９１と、前記防水収容部９０のガイド棒９１，９１側に設けられ前記取付座４ａと同様な円環状に形成されガイド棒９１，９１を貫通する貫通孔９２ａ，９２ａを設けた防水パッキン９２と、前記防水収容部９０の直径よりやや小さく形成された円板であって一方の面に前記潮流発電装置１Ｃが固定され他方の面に吊り金具９４ａが設けられかつ前記ガイド棒９１，９１を嵌入する係合孔９４ｂ，９４ｂが穿設された固定板９４と、前記防水パッキン９２の貫通孔９２ａ，９２ａをガイド棒９１，９１を嵌入し、かつ前記固定板９４の係合孔９４ｂ，９４ｂにガイド棒９１，９１を嵌入して前記取付座４ａに前記固定板９４を載置し、かつ前記ガイド棒９１，９１よりやや短く所定の長さのスリーブ９５ａ，９５ａを前記ガイド棒９１，９１に装着して前記潮流発電装置１Ｃを前記取付座４ａに固定する固定機構９５とを備えている。なお、各スリーブ９５ａ，・・・は、末端に座９５ｂ１，９５ｂ２ａを設けている。
【００６６】
さらに説明すると、前記防水収容部９０は、所定の直径を持った円筒状に構成されており、前記浮体３ａに溶接等で一体に形成されている。前記防水収容部９０は、前記円筒状の一端が前記浮体３ａの底部の海中に突出させてあり、かつ、前記円筒状の他端が甲板３００より突出させてある。
【００６７】
前記固定機構９５は、スリーブ９５ａ，９５ａと、固定リング９５ｂと、バネ座金９５ｃと、ガイド棒９１の先端側に設けたネジ部９５ｄと、前記ネジ部９５ｄに螺着されるナット９５ｅとからなる。また、固定リング９５ｂには、図５９に示すように、ガイド棒９１の直径よりやや大きい挿通孔９５ｂ１が設けられている。
【００６８】
また、前記固定リング９５ｂの外周には、図５４および図５９に示すように一体的に防振ゴム９５ｂ２が被せるられており、この防振ゴム９５ｂ２が防水収容部９０の内周面全周に接するようになっている。この固定機構９５は、前記防水パッキン９２の貫通孔９２ａ，９２ａおよび固定板９４の係合孔９４ｂ，９４ｂにガイド棒９１，９１を嵌入して前記取付座４ａに前記固定板９４を前記防水パッキン９２を介して載置した後、かつ、前記スリーブ９５ａ，９５ａを前記ガイド棒９１，９１に装着して前記固定板９４を押し込み、さらに前記固定リング９５ｂの挿通孔９５ｂ１に前記ガイド棒９１，９１を挿入させ、しかる後に、ガイド棒９１，９１にバネ座金９５ｃを入れ、ガイド棒９１，９１のネジ部９５ｄにナット９５ｅを螺合させることにより、前記固定板９４を固定できるようになっている。なお、ガイド棒９１，９１は、作業を容易にするために、長さを異ならせてある。
【００６９】
また、前記浮体３ａに設けられた前記防水収容部９０の甲板３００の側の一端には、前記防水収容部９０の直径より所定の長さ大きい直径の蓋９６が着脱可能に設けられている。前記防水収容部９０の一端側の防水収容部座９０ａには、所定の位置にネジ孔９０ｂが設けられている。また、前記蓋９６には、前記蓋９６を防水収容部９０の正規の位置に載置したときに、前記防水収容部９０の防水収容部座９０ａのネジ孔９０ｂと同一位置にボルト挿通孔９６ａが穿設されている。前記蓋９６のボルト挿通孔９６ａと前記防水収容部９０の収容部座９０ａのネジ孔９０ｂと位置合わせをし、バネ座金９９ａを取り付けたボルト９９ｂをボルト挿通孔９６ａを挿通してネジ孔９０ｂに螺合することにより前記蓋９６を前記防水収容部９０の収容部座９０ａに固定するようになっている。
【００７０】
また、前記蓋９６の内側には、保持金具９６ｂが設けられており、この保持金具９６ｂに緩嵌されているシャックル１０１に吊りワイヤー１００の一端がを取り付けられている。なお、前記吊りワイヤー１００の他端は、前記固定板９４の吊り金具９４ａに固定されているシャックル１０２に固定されている。
前記浮体３ａの前記防水収容部９０の収容部座９０ａには、図５５に示すように、櫓１０５が着脱可能に設けられている。
【００７１】
前記櫓１０５は、所定の高さの支柱１０５ａ，１０５ａと、前記支柱１０５ａ，１０５ａの上側で直角方向に設けられた横桟１０５ｂとから構成されている。前記横桟１０５ｂの長さは、支柱１０５ａ，１０５ａが丁度、防水収容部９０の収容部座９０ａに乗る長さに設定されている。前記支柱１０５ａ，１０５ａの下端には、図５８に示すように、ボルト挿通孔１０５ｃを設けた櫓座１０５ｄが設けられている。前記防水収容部９０の収容部座９０ａには、前記櫓座１０５ｄのボルト挿通孔１０５ｃに挿通させるボルト（図示せず）が所定の位置に垂設されている。
【００７２】
前記櫓１０５の横桟１０５ｂには、滑車用吊下げ座１０５ｅ，１０５ｆが設けられており、前記吊下げ座１０５ｅ，１０５ｆに吊下げられた滑車１０６ａ，１０６ｂに前記吊りワイヤー１００を掛け、吊りワイヤー１００の一端側を甲板３００に固定された手動ウインチ１０７に係合させ前記手動ウインチ１０７のレバー１０７ａを操作することにより、前記潮流発電装置１Ｃを釣り上げ、あるいは、吊り下げ可能になっている。
【００７３】
このように構成された灯浮標用潮流発電装置の取付構造において、潮流発電装置１Ｃのメンテナンスのために、潮流発電装置１Ｃの着脱する工程を説明する。
まず、本発明の第４の実施の形態に係る灯浮標用潮流発電装置の取付構造が適用された灯浮標２ａでは、潮流発電装置１Ｃは、図５４に示すような状態に防水収容部９０の下部の取付座４ａに取り付けられている。
このような状態にある灯浮標２ａの潮流発電装置１Ｃをメンテナンスすることになると、複数のメンテナンス要員が、船で当該灯浮標２ａに接近し、灯浮標２ａの浮体３ａの甲板３００に乗り移るとともに、必要な機材を船から灯浮標２ａの浮体３ａの甲板３００に移す。
【００７４】
要員は、メンテナンスをしようとする潮流発電装置１Ｃの固定されている防水収容部９０の近くの甲板３００上で屈み込み、前記防水収容部９０の上端の収容部座９０ａに設置された蓋９６の外周のボルト挿通孔９６ａを挿通し収容部座９０ａのネジ孔９０ｂに螺合している複数のボルト９９ｂ，・・・緩め、当該ボルト９９ｂ，・・・とバネ座金９９ａ，・・・を外す。
【００７５】
屈み込んだ要員は、蓋９６の上に設けた把手（図示せず）を掴み、この蓋９６を持ち上げて甲板３００上であって、作業の邪魔にならない場所に置く。すると、蓋９６の内側に設けた保持金具９６ｂに緩嵌されているシャックル１０１に連結されている吊りワイヤー１００が甲板３００上に出てくる。このため、吊りワイヤー１００は、作業に支障のない長さになるように余裕を持たせてある。
要員は、浮体３ａの甲板３００の上で身を低くして櫓１０５の部品を結合し、寝かせた状態で櫓１０５を組み立てる。なお、櫓１０５は、事前に陸上又は船上で組み立てておき、それを灯浮標２ａの浮体３ａの甲板３００に搬入してもよい。
【００７６】
要員は、櫓１０５の支柱１０５ａを持って立ち上がり、櫓１０５を起こして防水収容部９０の収容部座９０ａの上に乗せる。櫓１０５の支柱１０５ａ，１０５ａの下部には図５８に示すように櫓座１０５ｄ，１０５ｄが設けられており、前記櫓座１０５ｄには前記防水収容部９０の収容部座９０ａに設けられたネジ孔９０ｂと同一位置にボルト挿通孔１０５ｃが設けられているので、一人あるいは複数の要員が支柱１０５ａ，１０５ａを支え、櫓座１０５ｄのボルト挿通孔１０５ｃを収容部座９０ａのネジ孔９０ｂに対向合致するように移動させて保持するとともに、他の要員が前記蓋９６を外したバネ座金９９ａ、ボルト９９ｂを使いネジ止めすることにより、櫓１０５を浮体３ａの甲板３００上にしっかりと固定する。
【００７７】
要員は、灯浮標２ａの浮体３ａの甲板３００上に運び込んだ手動ウインチ１０７を所定の場所に移動させ、図示しない甲板３００上のネジ孔にネジ止め固定する。
要員は、工具を片手に持ち、片膝を浮体３ａの甲板３００に付けた状態で他方の手で組み立てた櫓１０５の支柱１０５ａを握って掴まり、防水収容部９０の内側に向かい前屈みになって、手に持った工具で固定リング９５ｂを固定している複数のナット９５ｅ，・・・を緩めた後、工具を浮体３ａの甲板３００におき、その手でナット９５ｅ，・・・およびバネ座金９５ｃ，・・・をガイド棒９１，・・・から外す。
【００７８】
なお、ナット９５ｅ，・・・を緩めると、潮流発電装置１Ｃを取り付けてある固定リング９５ｂが水圧で上方に押し上げられる。また、固定板９３の下部側に接着材で一体的に形成されている防水パッキン９２も押し上げられるので、この防水パッキン９２と取付座４ａとの間に隙間ができ、水圧により海水が防水収容部９０の内部に流入してきて、吃水５と同一面まで満たす。
【００７９】
固定リング９５ｂの外周部には図５４および図５９に示すように防振ゴム９５ｂ１が設けられていることから防水収容部９０の内周面に接しており、かつ、固定リング９５ｂの挿通孔９５ｂ１，・・・にガイド棒９１，・・・が挿通されているので、固定リング９５ｂを防水収容部９０から取り出すには、この固定リング９５ｂを防水収容部９０の内周面に沿って移動させる必要がある。そこで、複数の要員が、上述したと同様の姿勢で、固定リング９５ｂの内側に手を掛けて、前記防水収容部９０の円筒軸に沿わせて引き上げる。
【００８０】
要員は、固定リング９５ｂを防水収容部９０より取り出した後、固定リング９５ｂを持ったまま立ち上がり、以後の作業の邪魔にならない場所に置く。このとき、固定リング９５ｂの内側には吊りワイヤー１００が挿通されており、また、吊りワイヤー１００の先端は蓋９６の保持金具９６ｂに連結されているので、固定リング９５ｂは蓋９６に近傍に置くことになる。
【００８１】
要員は、前記ナット９５ｅを外したときと同様な姿勢をとり、スリーブ９５ａの先端部に設けた円盤状の座を掴み引き上げ、この座が防水収容部９０の上端部より突出したら、そのまま立ち上がり、片手でスリーブ９５ａを引き上げ、他の手でそのスリーブ９５ａの下部を掴み、引き上げた手を離し、スリーブ９５ａを掴んだ手で引き上げ、離した手でそのスリーブ９５ａの下部を掴むという動作を繰り返すことにより、複数のスリーブ９５ａ，・・・をガイド棒９１，・・・から引き取り、所定の場所に置く。
【００８２】
このようち作業は、防水収容部９０の内側に身を乗り出す姿勢で行なうこともあるので、安全作業を行なうために、体を支えたり物を確実に掴めるように、櫓１０５の支柱１０５ａ，１０５ａや、固定リング９５ｂには把手を設けておくことが望ましい。
要員は、立ち上がった状態で、櫓１０５の吊下げ座１０５ｅ，１０５ｆに滑車１０６ａ，１０６ａのフックを引っかけ、櫓１０５に滑車１０６ａ，１０６ｂを取り付ける。
【００８３】
要員は、浮体３ａの甲板３００に置いてある蓋９６の保持金具９６ｂに連結されたシャックル９６ｃのネジを外し、このシャックル９６ｃと吊りワイヤー１００とを分離し、かつ、この吊りワイヤー１００を固定リング９５ｂの内側より抜き取った後、吊りワイヤー１００の先端を持って、この吊りワイヤー１００を滑車１０６ａ，１０６ｂの順んで滑車１０６ａ，１０６ｂに通した後、浮体３ａの甲板３００に固定した手動ウインチ１０７のドラム（図示せず）に固定する。
【００８４】
要員は、手動ウインチ１０７のレバー１０７ａ回転させて吊りワイヤー１００をドラム（図示せず）に巻き取ると、潮流発電装置１Ｃは固定板９４の係合孔９４ｂ，９４ｂがガイド棒９１，９１によって案内されて上昇してくるので、海上のうねりで浮体３ａが揺れても、ダリウス型水車１１ｃが防水収容部９０の内周面に接触・衝突して破損することもなく引き上げられる。
【００８５】
潮流発電装置１Ｃが上方に引き上げられて固定板９４の係合孔９４ｂ，９４ｂがガイド棒９１，９１から外れると、この潮流発電装置１Ｃは上からみた平面上の位置的に不安定な状態になるが、浮体３ａの甲板３００上の要員の手が届く位置に達しているので、要員が吊り金具９４ａや固定板９４を掴むことにより平面上の位置を保って引き上げることができる。このために、固定板９４には、把手を設けておくことが好ましい。
【００８６】
前記潮流発電装置１Ｃの全体が図５５に示すように浮体３ａの甲板３００上の位置まで引き上げ、この潮流発電装置１Ｃの簡単な検査を行なう。また、状況によっては、引き上げた状態またはシャックル１０２のネジを外して吊りワイヤー１００と吊り金具９４ａとを分離し、潮流発電装置１Ｃを浮体３ａの甲板３００に降ろすか、船上にもって行き、保守を行なう。
【００８７】
次に、保守の終了した潮流発電装置１Ｃの取り付け方について説明する。
吊りワイヤー１００がシャックル１０２を介して吊り金具９４ａに連結されていて、かつ、図５５に示すように潮流発電装置１Ｃが櫓１０５に吊り下がった状態で、要員は、手動ウインチ１０７のレバー１０７ａを逆回転させて、手動ウインチ１０７のドラム（図示せず）を引き上げとは逆回転させて潮流発電装置１Ｃを徐々に防水収容部９０の内部に降ろす。
引き上げ時と同様に、要員は、潮流発電装置１Ｃの破損を防止するため、この潮流発電装置１Ｃの固定板９４に設けられた係合孔９４ｂ，９４ｂにガイド棒９１のネジ部９５ｄと嵌合するまで、潮流発電装置１Ｃや固定板９４を掴み平面的位置を確保する。
【００８８】
浮体３ａの甲板３００の面積は狭いため、これを有効に活用するために防水収容部９０をなるべく小型化する必要があり、潮流発電装置１Ｃのダリウス型水車１１ｃの外径と防水収容部９０の内部に設けられたガイド棒９１，９１の平面上の間隔は狭くなっている。前記固定板９４の係合孔９４ｂ，９４ｂとガイド棒９１，９１の間隔を大きく取ってしまうと、潮流発電装置１Ｃの引き上げ、引き下げ時に、浮体３ａが揺れると潮流発電装置１Ｃも揺れダリウス型水車１１ｃがガイド棒９１，９１に衝突する事故が発生することになる。
【００８９】
そこで、前記固定板９４の係合孔９４ｂ，９４ｂとガイド棒９１，９１の間隔とは小さく保たれている。このため、固定板９４の係合孔９４ｂ，９４ｂにガイド棒９１，９１を嵌合させる作業は、全箇所同時に行わなければならず、揺れる浮体３ａの上での作業は非常に困難を伴う。
【００９０】
この点を解消するため、複数のガイド棒９１，・・・の長さをそれぞれ変化させてある。これにより、丈の長いガイド棒９１，・・・から順次固定板９４の係合孔９４ｂ，・・・に嵌合させることができ、かつ、嵌合している固定板９４の係合孔９４ｂが他の未嵌合の係合孔９４ｂ，・・・の案内ともなるので、作業が非常に容易になると同時に潮流発電装置１Ｃのダリウス型水車１１ｃがガイド棒９１に衝突させる危険性を低減でき、効率的に作業を進行させることができる。なお、前記ガイド棒９１の全てを長さを変えるのではなく、前記ガイド棒９１の長さは３段階位の寸法でも十分な効果がある。
以後、引き上げとは逆の手順で作業を進める。
【００９１】
さらに、潮流発電装置１Ｃは、防水収容部９０内を固定板９４の係合孔９４ｂ，・・・とガイド棒９１，・・・とにより案内されてさらに降下させて、固定板９４を取付座４ａの上に載置する。これにより、潮流発電装置１Ｃは、浮体３ａの底面より深く海中に突出することになる。
要員は、ガイド棒９１，・・・に全部のスリーブ９５ａ，・・・を挿通する。その後、要員は、吊りワイヤー１００を滑車１０６ａ，１０６ｂから外した後、固定リング９５ｂの内周から吊りワイヤー１００を通し、当該吊りワイヤー１００の一端を前記蓋９６の保持金具９６ｂにシャックル９６ｃを介して固定する。
【００９２】
次いで、防水収容部９０の円筒軸に沿って固定リング９５ｂを降下させて、固定リング９５ｂの挿通孔９５ｂ１をガイド棒９１，・・・のネジ部９５ｄ，・・・に挿通した後、バネ座金９５ｃ，・・・をネジ部９５ｄ，・・・に嵌め、さらに、ネジ部９５ｄ，・・・ナット９５ｅ，・・・を螺合することにより、固定リング９５ｂを固定する。これにより、前記潮流発電装置１Ｃが取付座４ａに固定される。
しかる後、水中ポンプ（図示せず）を防水収容部９０の内部に流入している海水中に沈め、防水収容部９０内の海水を防水収容部９０から外にくみ出して捨てる。
【００９３】
前記防水収容部９０内の海水がなくなった時点で、水中ポンプ（図示せず）を引き上げて、後の作業の邪魔にならない甲板３００上の場所に置く。
さらに、複数の要員は、櫓１０５の支柱１０５ａ，１０５ａを支え、他の要員は、櫓座１０５ｄのボルト挿通孔１０５ｃを介して収容部座９０ａのネジ孔９０ｂに螺合しているにバネ座金９９ａ、ボルト９９ｂを外し、浮体３ａの甲板３００の所定の場所に置き。
複数の要員は、櫓１０５を浮体３ａの甲板３００の作業の邪魔にならない場所に置く。
【００９４】
また、要員は、蓋９６の外周側が収容部座９０ａに合致するように置くとともに、ボルト挿通孔９６ａを防水収容部９０の収容部座９０ａのネジ孔９０ｂ，・・・に合致させた後、バネ座金９９ａを嵌めたボルト９９ｂ，・・・収容部座９０ａのネジ孔９０ｂに螺合し、図５４に示すようなメンテナンス前の状態に戻す。
その後、櫓１０５を分解し、櫓１０５や工具を船に搬入してメンテナンスの終了となる。
【００９５】
以上説明したように本発明の第４の実施の形態に係る灯浮標用潮流発電装置の取付構造によれば、上記潮流発電装置１Ｃを防水収容部９０の取付座４ａに簡単に装着し、あるいは、前記潮流発電装置１Ｃを防水収容部９０の取付座４ａから簡単に取り外しでき、前記潮流発電装置１Ｃの保守を容易に行なうことができる。
なお、上記第４の実施の形態では、櫓１０５は着脱可能なもので説明したが、これに限定されるものではなく、例えば櫓１０５の支柱１０５ａ，１０５ａが、防水収容部９０の収容部座９０ａより外側に配置されるように横桟１０５ｂの長さを選定し、かつ櫓１０５の横桟１０５ｂの中央部が防水収容部９０の円筒軸上に位置するように配置し、前記支柱１０５ａ，１０５ａの下部を甲板３００上に固定するようにして、前記櫓１０５が甲板３００に固定された形にしてもよい。
【００９６】
【発明の効果】
以上説明したように請求項１ないし請求項３に記載の発明によれば、次のような利点がある。
（１）潮流は定常的に流れているため、気象条件に左右されずに発電をすることができる。
（２）ダリウス型水車と発電機とが一体的に構成されていて、かつ、水中に没した状態で発電可能になっているので、構成が簡単でかつ保守の必要のないランニングコストの安い発電装置をえることができる。
（３）少ない潮流でも確実に発電が可能である。
（４）請求項１ないし３記載の発明によれば、前記潮流発電装置を防水収容部の取付座に簡単に装着し、あるいは、前記潮流発電装置を防水収容部の取付座から簡単に取り外しでき、前記潮流発電装置１Ｃの保守を容易に行なうことができる。
【図面の簡単な説明】
【図１】本発明の実施の形態に係る潮流発電装置を灯浮標に取り付けた状態を説明するための図である。
【図２】本発明の第１の実施の形態に係る潮流発電装置の全体構成を示す横断面図である。
【図３】本発明の第１の実施の形態に係る潮流発電装置を示す正面図である。
【図４】本発明の第１の実施の形態に係る潮流発電装置のダリウス型水車に使用する第１の翼支持盤の詳細を示す平面図である。
【図５】本発明の第１の実施の形態に係る潮流発電装置のダリウス型水車に使用する第１の翼支持盤を固定するために使用するカラーを示す断面図である。
【図６】本発明の第１の実施の形態に係る潮流発電装置のダリウス型水車に使用する第１の翼支持盤を固定するために使用する座金を示す平面図である。
【図７】本発明の第１の実施の形態に係る潮流発電装置のダリウス型水車に使用する第２の支持盤の詳細を示す平面図である。
【図８】本発明の第１の実施の形態に係る潮流発電装置のダリウス型水車に使用する第２の支持盤を固定するために使用するカラーを示す平面図である。
【図９】本発明の第１の実施の形態に係る潮流発電装置のダリウス型水車に使用する第２の支持盤を固定するために使用するカラーを示す断面図である。
【図１０】本発明の第１の実施の形態に係る潮流発電装置のダリウス型水車に使用する第２の支持盤を固定するために使用する他のカラーを示す平面図である。
【図１１】本発明の第１の実施の形態に係る潮流発電装置のダリウス型水車に使用する第２の支持盤を固定するために使用する他のカラーを示す側面図である。
【図１２】本発明の第１の実施の形態に係る潮流発電装置の発電機に使用するケーシングを示す正面図である。
【図１３】本発明の第１の実施の形態に係る潮流発電装置の発電機に使用するケーシングの一方の端部を示す側面図である。
【図１４】本発明の第１の実施の形態に係る潮流発電装置の発電機に使用するケーシングの他方の端部を示す側面図である。
【図１５】本発明の第１の実施の形態に係る潮流発電装置の発電機に使用するケーシングの外周の一部を示す平面図である。
【図１６】本発明の第１の実施の形態に係る潮流発電装置の発電機に使用する上ケーシングカバーの内側面を示す正面図である。
【図１７】本発明の第１の実施の形態に係る潮流発電装置の発電機に使用する上ケーシングカバーを示す断面図である。
【図１８】本発明の第１の実施の形態に係る潮流発電装置の発電機に使用する下ケーシングカバーの内側面を示す正面図である。
【図１９】本発明の第１の実施の形態に係る潮流発電装置の発電機に使用する下ケーシングカバーを示す断面図である。
【図２０】本発明の第１の実施の形態に係る潮流発電装置の発電機およびダリウス型水車に使用する回転軸およびシャフトを示す側面図である。
【図２１】本発明の第１の実施の形態に係る潮流発電装置の発電機およびダリウス型水車に使用する回転軸およびシャフトを示す正面図である。
【図２２】本発明の第１の実施の形態に係る潮流発電装置の発電機に使用するロータヨークを示す正面図である。
【図２３】本発明の第１の実施の形態に係る潮流発電装置の発電機に使用するロータヨークを示す一部断面図である。
【図２４】本発明の第１の実施の形態に係る潮流発電装置の発電機に使用するロータ押えリングを示す正面図である。
【図２５】本発明の第１の実施の形態に係る潮流発電装置の発電機に使用するロータ押えリングを示す一部断面図である。
【図２６】本発明の第１の実施の形態に係る潮流発電装置の発電機に使用するロータ押えリングの押え用のカラーを示す正面図である。
【図２７】本発明の第１の実施の形態に係る潮流発電装置の発電機に使用するロータ押えリングの押え用の座金を示す正面図である。
【図２８】本発明の第１の実施の形態に係る潮流発電装置の発電機に使用するステータを示す正面図である。
【図２９】本発明の第１の実施の形態に係る潮流発電装置の発電機に使用するカラーを示す断面図である。
【図３０】本発明の第１の実施の形態に係る潮流発電装置の発電機に使用するシールカバーを示す正面図である。
【図３１】本発明の第１の実施の形態に係る潮流発電装置の発電機に使用するシールカバーを示す断面図である。
【図３２】本発明の第１の実施の形態に係る潮流発電装置の発電機に使用する コード取付座を示す平面図である。
【図３３】本発明の第１の実施の形態に係る潮流発電装置の発電機に使用するコード取付座を示す断面図である。
【図３４】本発明の第１の実施の形態に係る潮流発電装置の発電機に使用するコード取付蓋を示す平面図である。
【図３５】本発明の第１の実施の形態に係る潮流発電装置の発電機に使用するコード取付蓋を示す断面図である
【図３６】本発明の第１の実施の形態に係る潮流発電装置の発電機に使用するロックナットを示す平面図である。
【図３７】本発明の第１の実施の形態に係る潮流発電装置の発電機に使用するロックナットを示す断面図である
【図３８】本発明の第２の実施の形態に係る潮流発電装置を示す断面図である。
【図３９】本発明の第２の実施の形態に係る潮流発電装置を示す正面図である。
【図４０】    本発明の第２の実施の形態に係る灯浮標に取り付けられた潮流発電装置のダリウス型水車の角度に対する起動トルクを示す特性図である。
【図４１】本発明の第２の実施の形態に係る灯浮標に取り付けられた潮流発電装置のダリウス型水車の回転数に対するトルクを示す特性図である。
【図４２】本発明の第２の実施の形態に係る灯浮標に取り付けられた潮流発電装置のダリウス型水車の回転数に対する出力を示す特性図である。
【図４３】本発明の第２の実施の形態に係る灯浮標に取り付けられた潮流発電装置のダリウス型水車の回転数に対する出力を示す特性図である。
【図４４】本発明の第３の実施の形態に係る潮流発電装置を示す断面図である。
【図４５】本発明の第３の実施の形態に係る潮流発電装置を示す正面図である。
【図４６】本発明の第３の実施の形態に係る潮流発電装置に使用するダリウス型水車を示す側面図である。
【図４７】本発明の第３の実施の形態に係る潮流発電装置に使用するダリウス型水車を示す側面図である。
【図４８】本発明の第３の実施の形態に係る灯浮標に取り付けられた潮流発電装置のダリウス型水車の角度に対する起動トルクを示す特性図である。
【図４９】本発明の第３の実施の形態に係る灯浮標に取り付けられた潮流発電装置のダリウス型水車の回転数に対するトルクを示す特性図である。
【図５０】本発明の第３の実施の形態に係る灯浮標に取り付けられた潮流発電装置のダリウス型水車の回転数に対する出力を示す特性図である。
【図５１】本発明の第３の実施の形態に係る灯浮標に取り付けられた潮流発電装置のダリウス型水車の回転数に対する出力を示す特性図である。
【図５２】本発明の第３の実施の形態に係る灯浮標によって発電される発電電力と潮流の関係を示す特性図である。
【図５３】本発明の第４の実施の形態に係る灯浮標用潮流発電装置の取付構造が適用された灯浮標を示す正面図である。
【図５４】本発明の第４の実施の形態に係る灯浮標用潮流発電装置の取付構造であって潮流発電装置を固定した状態を示す断面図である。
【図５５】本発明の第４の実施の形態に係る灯浮標用潮流発電装置の取付構造であって潮流発電装置を引き上げた状態を示す断面図である。
【図５６】本発明の第４の実施の形態に係る灯浮標用潮流発電装置の取付構造であって、取付座の一部を拡大して示す図である。
【図５７】本発明の第４の実施の形態に係る灯浮標用潮流発電装置の取付構造であって、当該取付構造で使用する蓋の一部を拡大して示す図である。
【図５８】本発明の第４の実施の形態に係る灯浮標用潮流発電装置の取付構造であって、当該取付構造で使用する櫓座を拡大して示す図である。
【図５９】本発明の第４の実施の形態に係る灯浮標用潮流発電装置の取付構造であって、当該取付構造で使用する固定機構を構成する固定リングの一部を拡大して示す図である。
【符号の説明】
１，１Ａ，１Ｂ，１Ｃ  潮流発電装置
２，２ａ  灯浮標
３，３ａ  浮体
４，４ａ  取付座
６  錨
７  塔
８ 灯火装置
１０ マグネット
１１，１１Ａ，１１Ｂ  ダリウス型水車
１２  発電機
１３  回転軸
１３ａ  シャフト
１４  ロータヨーク
１５  ステータ
１６  発電巻線
１７  収納箱
１８  接合部防水構造
１９  回転軸防水構造
２０ａ，２０ａＡ，２０ａＢ  第１の翼支持盤
２０ｂ，２０ｂＢ，２０ｂＢ  第２の支持盤
２１，２１Ａ，２１Ｂ  水車翼
２２  ケーシング
２３  上ケーシングカバー
２５  下ケーシングカバー
２８，３８ ボールベアリング
３８ シールカバー
４５  コード取付座
４９  コード取付蓋
５８  ロックナット
６７，６７Ａ，６７Ｂ  腕
７７，７７Ａ，７７Ｂ  腕
９０  防水収容部
９０ａ  収容部座
９０ｂ  ネジ孔
９１  ガイド棒
９２  防水パッキン
９２ａ，９２ａ  貫通孔
９４  固定板
９４ａ  吊り金具
９４ｂ  係合孔
９５  固定機構
９５ａ  スリーブ
９５ｂ  固定リング
９５ｃ  バネ座金
９５ｄ  ネジ部
９５ｅ  ナット
９６  蓋
９６ａ  ボルト挿通孔
９６ｂ  保持金具
９６ｃ，１０２  シャックル
１００  吊りワイヤー
１０５  櫓
１０５ａ  支柱
１０５ｂ  横桟
１０５ｃ  ボルト挿通孔
１０５ｅ，１０５ｆ  吊下げ座
【図１】
0004281291.tif 000002
【図２】
0004281291.tif 000003
【図３】
0004281291.tif 000004
【図４】
0004281291.tif 000005
【図５】
0004281291.tif 000006
【図６】
0004281291.tif 000007
【図７】
0004281291.tif 000008
【図８】
0004281291.tif 000009
【図９】
0004281291.tif 000010
【図１０】
0004281291.tif 000011
【図１１】
0004281291.tif 000012
【図１２】
0004281291.tif 000013
【図１３】
0004281291.tif 000014
【図１４】
0004281291.tif 000015
【図１５】
0004281291.tif 000016
【図１６】
0004281291.tif 000017
【図１７】
0004281291.tif 000018
【図１８】
0004281291.tif 000019
【図１９】
0004281291.tif 000020
【図２０】
0004281291.tif 000021
【図２１】
0004281291.tif 000022
【図２２】
0004281291.tif 000023
【図２３】
0004281291.tif 000024
【図２４】
0004281291.tif 000025
【図２５】
0004281291.tif 000026
【図２６】
0004281291.tif 000027
【図２７】
0004281291.tif 000028
【図２８】
0004281291.tif 000029
【図２９】
0004281291.tif 000030
【図３０】
0004281291.tif 000031
【図３１】
0004281291.tif 000032
【図３２】
0004281291.tif 000033
【図３３】
0004281291.tif 000034
【図３４】
0004281291.tif 000035
【図３５】
0004281291.tif 000036
【図３６】
0004281291.tif 000037
【図３７】
0004281291.tif 000038
【図３８】
0004281291.tif 000039
【図３９】
0004281291.tif 000040
【図４０】
0004281291.tif 000041
【図４１】
0004281291.tif 000042
【図４２】
0004281291.tif 000043
【図４３】
0004281291.tif 000044
【図４４】
0004281291.tif 000045
【図４５】
0004281291.tif 000046
【図４６】
0004281291.tif 000047
【図４７】
0004281291.tif 000048
【図４８】
0004281291.tif 000049
【図４９】
0004281291.tif 000050
【図５０】
0004281291.tif 000051
【図５１】
0004281291.tif 000052
【図５２】
0004281291.tif 000053
【図５３】
0004281291.tif 000054
【図５４】
0004281291.tif 000055
【図５５】
0004281291.tif 000056
【図５６】
0004281291.tif 000057
【図５７】
0004281291.tif 000058
【図５８】
0004281291.tif 000059
【図５９】
0004281291.tif 000060